(57)【要約】【課題】  低帯域の再生特性の向上効果を十分に得ると共に、音の損失を少なくでき、更に、風切音を抑制する。【解決手段】  スピーカユニット５を収納すると共にポート開口穴６を有する本体２と、前記ポート開口穴６に連通して前記本体２に設けられる筒状のバスレフポート７とを備えたスピーカ装置１であって、前記バスレフポート７を前記本体２に沿って延びる円筒形状に形成し、且つ該バスレフポート７を軸方向に沿って２分割して一方の分割体７ａを前記本体２と一体に成形する。【選択図】  図５
2005318081.tif 000002
【特許請求の範囲】
【請求項１】
スピーカユニットを収納すると共にポート開口穴を有する本体と、
前記ポート開口穴に連通して前記本体に設けられる筒状のバスレフポートとを備えたスピーカ装置であって、
前記バスレフポートは、前記本体の長手方向に沿って延びる円筒形状に形成し、且つ該バスレフポートをバスレフポートの軸方向に沿って分割して、一方の分割体を前記本体に一体に成形したことを特徴とするスピーカ装置。
【請求項２】
前記バスレフポートは、断面視円形形状の開口を有することを特徴とする請求項１記載のスピーカ装置。
【発明の詳細な説明】
【技術分野】
【０００１】
本発明は、スピーカユニットを収納すると共にポート開口穴を有する本体と、前記ポート開口穴に連通して前記本体に設けられる筒状のバスレフポートとを備えたスピーカ装置に関する。
【背景技術】
【０００２】
一般に、スピーカ装置においては、低帯域音の再生特性を向上させるためにバスレフ構造のウーファが用いられる場合がある。
【０００３】
従来より種々のバスレフ型スピーカ装置が知られている（例えば、特許文献１〜３参照）。
例えば、図１に示すように、本体１０１と蓋部１０２とを備えた筐体１０５内にスピーカユニットの収納部を形成すると共に、本体１０１にポート開口穴１０３を設けてこの開口穴１０３に対して垂直方向に連通するバスレフポート１０４を本体１０１と一体に成形したスピーカ装置１００がある。
【０００４】
また、図２及び図３に示すように、本体２０１と蓋部２０２とを備えた略直方体状の筐体２０５内にスピーカユニットの収納部を形成すると共に、本体２０１の長手方向に沿って断面半円形状のバスレフポート２０４を配置して、該バスレフポート２０４の長手方向の端部を本体２０１に設けたポート開口穴２０３に連通させたスピーカ装置２００がある。
【特許文献１】特開２００３−７２４８２号公報
【特許文献２】特開平６−１７８３７５号公報
【特許文献３】実開平５−６５１９２号公報
【発明の開示】
【発明が解決しようとする課題】
【０００５】
しかしながら、図１に示すスピーカ装置１００では、バスレフポート１０４が本体１０１にポート開口穴１０３に対して垂直方向に連通しているので、特に近年のスピーカ装置の薄型化の要求の中でバスレフポート１０４の長さを長くとることができず、低帯域の再生特性の向上効果を十分に得られないという問題がある。
【０００６】
一方、図２及び図３に示すスピーカ装置２００においては、バスレフポート２０４が断面半円形状とされて、バスレフポート２０４の軸方向の軌跡上でバスレフポート２０４の断面形状が常に一定にならないために音の損失が大きくなると共に、部品点数が増えてコスト高になり、また、バスレフポート２０４の出口に大きなＲ形状をとることができないので風切音が大きくなるという問題がある。
【０００７】
本発明が解決すべき課題としては、薄型化の要求の中でバスレフポートの長さを長くとることができず、低帯域の再生特性の向上効果を十分に得られないという問題、断面形状が常に一定にならないために音の損失が大きくなると共に、部品点数が増えてコスト高になり、また、バスレフポートの出口に大きなＲ形状をとることができないので風切音が大きくなるという問題等が一例として挙げられる。
【課題を解決するための手段】
【０００８】
本発明の請求項１記載のスピーカ装置は、スピーカユニットを収納すると共にポート開口穴を有する本体と、前記ポート開口穴に連通して前記本体に設けられる筒状のバスレフポートとを備えたスピーカ装置であって、
前記バスレフポートを前記本体に沿って延びる円筒形状に形成し、且つ前記バスレフポートを軸方向に沿って分割して一方の分割体を前記本体に一体に成形したことを特徴とする。
【発明を実施するための最良の形態】
【０００９】
以下、本発明の実施の形態の一例を図を参照して説明する。図４は本発明の実施の形態の一例であるスピーカ装置の全体斜視図、図５は図４のＡ−Ａ線断面図、図６はバスレフポートが分割された状態を示す斜視図、図７はバスレフポートが分割面で接合された状態を示す斜視図、図８は図７の右方向から見た図である。
【００１０】
本発明に係る実施の形態のスピーカ装置１は、スピーカシステム中において低帯域音の再生に用いられる所謂バスレフ型ウーファである。このスピーカ装置１は、図４及び図５に示すように、本体２と、本体２の上面２ｂを覆う蓋部３とを備えた略直方体状の筐体４内に、図示せぬアンプから出力されるオーディオ信号に応じて音を発するスピーカユニット５が収納されている。
【００１１】
本体２には、本体２の上面２ｂ側と底面２ａ側を連通するポート開口穴６が形成されている。このポート開口穴６には、バスレフポート７の端部が連通接続されている。
【００１２】
バスレフポート７は、外観視略Ｌ字円筒形状を有しており、ポート開口穴６から本体２の厚さ方向に立ち上げられた後、本体２の長手方向に沿ってＬ字型に曲げられて本体２の長手方向に沿って延びた状態で筐体４内に配置されている。このように、本実施形態では、筐体４の長手方向に沿ってバスレフポート７を折り曲げることにより、バスレフポート７の距離を稼いでいる。なお、本実施形態のバスレフポート７は、図５に示すようにバスレフポート７は、バスレフポート７の軸方向の軌跡上での断面形状が常に略一定の半径を有する円形となるように構成されている。
また、バスレフポート７のポート開口穴６の反対側の端部７ｃには、フィルタ８が取り付けられており、ポート開口穴６からの塵埃等の異物の侵入を防いでいる。
【００１３】
本実施の形態では、図６〜図８に示すように、バスレフポート７は、軸方向に沿って本体２の板厚方向の上下に２分割されている。バスレフポート７の下側分割体７ａは、断面半円状の分割体であり、本体２の上面２ｂ側にて本体２と一体に成形されている。一方、下側分割体７ａに上側には、下側分割体７ａに対応した断面半円状の上側分割体７ｂが設けられている。上側分割隊７ｂと下側分割隊７ａは、例えば分割面での凹凸嵌合或いはボルト結合等によって接合されて、断面視円環形状のバスレフポート７を形成するように構成されている。
【００１４】
以上説明したように、本実施形態のスピーカ装置１は、スピーカユニット５を収納すると共にポート開口穴６を有する本体２と、ポート開口穴６に連通して本体２に設けられる筒状のバスレフポート７とを備えたスピーカ装置１であって、バスレフポート７は、本体２の長手方向に沿って延びる円筒形状に形成され、且つバスレフポート７をバスレフポート７の軸方向に沿って分割して、一方の分割体である下側分割体７ａを本体２に一体に成形したことを特徴とする。
【００１５】
このように、本実施の形態では、バスレフポート７は、本体２の長手方向に沿って配置されているので、薄型のスピーカ装置１であってもバスレフポート７の長さを長くとれて低帯域の再生特性の向上効果を十分に得ることができる。また、本実施の形態では、バスレフポート７を軸方向に沿って本体２の板厚方向に上下に２分割して、下側分割体７ａを本体２と一体に成形しているので、断面半円状の分割体を互いに接合して略Ｌ字円筒状のバスレフポートとしてこれをポート開口穴６に接続連通させる場合に比べて部品点数が削減されてコスト低減を図ることができ、また成形用の金型構造を簡素化することができる。
【００１６】
また、バスレフポート７が円筒状であることから、バスレフポート７の軸方向の軌跡上での断面形状が常に一定になって音の損失を少なくすることができると共に、バスレフポート７のポート開口穴６側の出口に大きなＲ形状をとることができるので風切音を抑制することができる。
【００１７】
なお、本発明のスピーカユニット、ポート開口穴、本体、バスレフポート及び分割体等の構成は上記実施の形態に限定されるものではなく、本発明の要旨を逸脱しない範囲において適宜変更可能である。
【図面の簡単な説明】
【００１８】
【図１】従来のバスレフ型スピーカ装置を説明するための断面図である。
【図２】従来のバスレフ型スピーカ装置を説明するための断面図である。
【図３】図２の右側面図である。
【図４】本発明の実施の形態の一例であるスピーカ装置の全体斜視図である。
【図５】図４のＡ−Ａ線断面図である。
【図６】バスレフポートが分割された状態を示す斜視図である。
【図７】バスレフポートが分割面で接合された状態を示す斜視図である。
【図８】図７の右方向から見た図である。
【符号の説明】
【００１９】
１  スピーカ装置
２  本体
５  スピーカユニット
６  ポート開口穴
７  バスレフポート
７ａ，７ｂ  分割体
【図１】
2005318081.tif 000003
【図２】
2005318081.tif 000004
【図３】
2005318081.tif 000005
【図４】
2005318081.tif 000006
【図５】
2005318081.tif 000007
【図６】
2005318081.tif 000008
【図７】
2005318081.tif 000009
【図８】
2005318081.tif 000010